【事件の表示】
　特願２００１−　２２４６０号「自転車用ライト及びこれを備えた自転車」拒絶査定不服審判事件〔平成１４年　８月１４日出願公開、特開２００２−２２５７６２号〕について、次のとおり審決する。
【結　論】
　本件審判の請求は、成り立たない。
【理　由】
１．手続の経緯、本願発明
　本願は、平成１３年１月３０日の出願であって、平成２０年６月２７日付けで拒絶査定がなされ、これに対して、平成２０年８月７日に拒絶査定不服審判が請求されたものであり、その後当審において、平成２１年８月２８日付けで拒絶の理由を通知したところ、平成２１年１１月９日付け手続補正書により手続補正がされたものである。
　そして、本願の各請求項に係る発明は、平成２１年１１月９日付け手続補正書によって補正された特許請求の範囲の請求項１〜１０に記載された事項により特定されるものと認められるところ、そのうちの請求項１に係る発明（以下「本願発明」という。）は、次のとおりである。
「【請求項１】　バルク型レンズと、このバルク型レンズに収納される光源と、磁石の磁束の変化によって生じる起電力を基に上記光源に電流を供給する発電部と、をそなえ、
　上記バルク型レンズが、頂部と、底部と、外周部と、上記底部から上記頂部に向かって形成された天井部と円筒形の内周部とからなる凹部とを有している光学媒体からなり、上記凹部が上記光源の収納部であり、上記天井部が第１のレンズ面として、上記内周部が光入射面として、上記外周部が光反射面として、また、上記頂部が第２のレンズ面として機能し、
　上記光源が、上記バルク型レンズの凹部内にスペーサを介して収容され、
　上記光源は、チップを覆う樹脂モールドの側部が円筒形をなす半導体発光素子からなり、
　上記バルクレンズの底部側で上記半導体発光素子の樹脂モールド側の側部が、上記バルク型レンズの内周部に上記スペーサを介して同心的に嵌合されて上記凹部に完全に収容されており、
　上記光源の光束を、上記バルク型レンズの上記頂部で収束して出射することを特徴とする、バルク型レンズを用いた自転車用ライト。」
　　　　　
２．引用刊行物及びその記載事項
　当審の拒絶理由に引用され、本願出願前に頒布された、特開平１１−１６３４２０号公報（以下「引用例」という。）には、以下の事項が記載されている。
　　　　　
ａ：「【０００２】【従来の技術】従来、ＬＥＤを光源として用いるさまざまなタイプのＬＥＤランプが公知である。その中で断面がつり鐘形状を呈するように樹脂封じとした汎用型のＬＥＤを抵抗を介して口金に取り付けたものが公知である。」
　　　　　
ｂ：「【０００９】【発明の実施の形態】図面はこの発明の一実施の形態を示し、１は口金であり、図面のものは外周にネジ山１ａを設けてあるが、このものに限定されず、さまざまなタイプの口金があっても良い。この口金１の上部開放部には、スペーサー２が装着されている。このスペーサー２は、外周リング部２ａと、この外周リング部２ａの内側に一対の支承部２ｂ，２ｂを介して同心状に設けられたＬＥＤ取付部２ｃと、このＬＥＤ取付部２ｃに同心状に設けたＬＥＤ取付孔２ｄと、支承部２ｂ，２ｂの一方のものに形成させたリード線挿通部２ｅとで構成されている。
【００１０】ＬＥＤ取付孔２ｄには下方より鍔部３ａを形成させた樹脂封じ型の断面つり鐘形状のＬＥＤ３が下方より挿入されて固定されており、このＬＥＤ３の下部より導出させたリード線４ａ，４ｂのうち、リード線４ａには安定抵抗５がそのリード線５ａ，５ｂの一方の５ａを接線させており、この安定抵抗のもう一方のリード線５ｂは口金１の下端部に設けた絶縁材料のアウトレット１ｂへ半田付けされている。ＬＥＤ３のもう一方のリード線４ｂには、外側に絶縁チューブ６を装着させたダイオード７がその一方のリード線７ａを接続させており、このダイオード７のもう一方のリード線７ｂはリード線挿通部２ｅを介して口金１の上部より外側へ導出され、口金１の上端縁の外側へ半田付けされている。
【００１１】スペーサー２の上部には、ＬＥＤを覆ってレンズカバー８がかぶせられ、その下端部に設けた一対の半円形状の取付部８ａ，８ａをスペーサー２の外周リング部２ａとＬＥＤ取付部２ｃとの間に支承部２ｂ，２ｂを介して設けられた一対の半円形状の挿通孔２ｆ，２ｆを介して口金１内部へ挿入され、スペーサー２を口金１の上端縁へ押し付けつつ接着剤９によって口金１に接着されている。
【００１２】尚、スペーサー２の外周リング部２ａの上面とレンズカバー８の下端部と当接する部分には、カラーリング１０がレンズカバー８の取付部８ａ，８ａに嵌着されることによって介在され、スペーサー２と共にレンズカバー８によって固定されている。
【００１３】したがって、ＬＥＤ３はこのスペーサー２によって常にその取付位置が均一なものとなり、レンズカバー８に対し、常にその中心位置に正確に取り付けられると共に、レンズカバー８のレンズ部８ｂとの距離も常に均一なものとすることができるものである。
【００１４】尚、その他の実施の形態として、ＬＥＤ３をスペーサー２の上端部に載置させ、リード線４ａ，４ｂのみを通すリード線挿通孔をこのスペーサー２に設けて、リード線４ａ，４ｂを口金１内部へ導くように構成することもできよう。また、スペーサー２を口金１に固着させて、このスペーサー２へレンズカバー８を捻子着或はその他の手段によって固定させるようにしても良い。口金１の外周へ取り付けるリード線４ｂは、スペーサー２に設けたリード線挿通部２ｅを介さずに従来技術と同様そのまま口金の外周へ取り付けるようにしても良い。」
　　　　　
ｃ：図１にはＬＥＤランプの正面図が、図２には線断面図が、図３には正面断面図が、図４には分解斜視図が、それぞれ記載されている。
　図１〜４を参照すると、レンズカバー８には、筒状部分と、その上側の板状部分（符号８ｂが付されている部分）とが設けられているといえる。
　　　　　
　上記の各記載事項及び図１〜４の記載を参照すると、引用例には、
「レンズカバー８と、このレンズカバーに収納されるＬＥＤ３と、
　上記レンズカバーが、板状部分の外側部と、取付部８ａと、筒状部分の外周部と、上記取付部から上記板状部分の外側部に向かって形成された板状部分の内側部と円筒形の筒状部分の内周部とからなる凹部とを有しているレンズカバーからなり、上記凹部が上記ＬＥＤの収納部であり、上記板状部分の内側部が内側のレンズ面として、上記筒状部分の内周部が光入射面として、
また、上記板状部分の外側部が外側のレンズ面として機能し、
　上記ＬＥＤが、上記レンズカバーの凹部にスペーサ２を介して収容され、
　上記ＬＥＤは、樹脂封じの側部が円筒形をなすＬＥＤからなり、
　上記レンズカバーの取付部側で上記ＬＥＤの樹脂封じの側部が、上記レンズカバーの筒状部分の内周部に上記スペーサを介して同心的に嵌合されて上記収納部に完全に収容されたランプ」の発明（以下「引用発明」という。）が記載されていると認められる。
　　　　　
３．対比
　本願発明と引用発明とを対比する。
　引用発明の「レンズカバー」は本願発明の「レンズ」及び「光学媒体」に相当し、
　以下、同様に、「ＬＥＤ」は「光源」に、「板状部分の外側部」は「頂部」に、「板状部分の内側部」は「天井部」に、「取付部」は「底部」に、「筒状部分の外周部」は「外周部」に、「筒状部分の内周部」は「内周部」に、「内側のレンズ面」は「第１のレンズ面」に、「外側のレンズ面」は「第２のレンズ面」に、それぞれ相当している。
　「ＬＥＤ」は、一般に、その半導体発光素子のチップを断面つり鐘形状を呈するように「樹脂封じ」されているから、引用発明の「樹脂封じの側部が円筒形をなすＬＥＤ」は、本願発明の「チップを覆う樹脂モールドの側部が円筒形をなす半導体発光素子」に相当する。
　　　　　
　以上のことから、本願発明と引用発明とは次の点で一致する。
「レンズと、このレンズに収納される光源と、
　上記レンズが、頂部と、底部と、外周部と、上記底部から上記頂部に向かって形成された天井部と円筒形の内周部とからなる凹部とを有している光学媒体からなり、上記凹部が上記光源の収納部であり、上記天井部が第１のレンズ面として、上記内周部が光入射面として、
また、上記頂部が第２のレンズ面として機能し、
　上記光源が、上記レンズの凹部内にスペーサを介して収容され、
　上記光源は、チップを覆う樹脂モールドの側部が円筒形をなす半導体発光素子からなり、
　上記レンズの底部側で上記半導体発光素子の樹脂モールド側の側部が、上記レンズの内周部に上記スペーサを介して同心的に嵌合されて上記凹部に完全に収容」した構成。
　　　　　
　一方で、両者は次の点で相違する。
＜相違点１＞
　本願発明では、「磁石の磁束の変化によって生じる起電力を基に上記光源に電流を供給する発電部と、をそなえ、」た「自転車用ライト」であるのに対して、引用発明は、このような発電部を備えておらず、自転車用ライトでもない点。
　　　　　
＜相違点２＞
　外周部の機能について、本願発明では「外周部が光反射面」として機能するのに対して、引用発明の外周部の機能は明らかではない点。
　　　　　
＜相違点３＞
　レンズについて、本願発明では「光源の光束を」、「レンズの上記頂部で収束して出射する」のに対して、引用発明のレンズは、光束を収束させることについての記載がない点。
　　　　　
＜相違点４＞
　レンズについて、本願発明では「バルク型」であるのに対して、引用発明では、バルク型かどうか不明な点。
　　　　　
４．相違点についての検討
＜相違点１について＞
　自転車用ライトにおいて、磁石の磁束の変化によって生じる起電力を基に光源に電流を供給する発電部を備えたものを用いることは、本願出願前周知の技術である。例えば、当審の拒絶理由に引用された実願平５−７２７１８号（実開平７−３５２７８号）のＣＤ−ＲＯＭには、そのような自転車用ライトについて記載されている。
　すると、上記周知の技術を参照して、引用発明のものを、「磁石の磁束の変化によって生じる起電力を基に上記光源に電流を供給する発電部と、をそなえ、」た「自転車用ライト」に適用して、本願発明の上記相違点１に係る事項とすることは、当業者が容易になし得たものである。
　　　　　
＜相違点２について＞
　本願発明における半導体発光素子、内周部及び外周部の３者の位置関係は、引用発明におけるＬＥＤ、内周部及び外周部の３者の位置関係と同じであるから、本願発明において外周部が「光反射面」として機能するのならば、引用発明の外周部も同様に、本願発明でいうところの「光反射面」として機能するはずである。
　したがって、上記相違点２に係る事項は、相違点として挙げたものの、引用発明においても備えている事項あるから、実質的な相違点ではない。
　　　　　
＜相違点３について＞
　ＬＥＤに設けるレンズとして、光束を収束させて出射させることは、本願出願前に周知の技術である。
　例えば、当審の拒絶理由に引用された特開昭６１−２１４０００号公報（公報第３ページ左上欄第１６〜１９行、第４図及び第６図を参照。）には、ＬＥＤに設けるレンズとして、前面を曲面に形成し、光束が集光するものが記載されている。
　同じく当審の拒絶理由に引用された特開平６−１０４４９１号公報（公報段落番号【００１０】及び図２を参照。）には、発光ダイオードランプのキャップとして種々の形態が、同じく当審の拒絶理由に引用された特開平１１−８７７８４号公報（公報段落番号【００１８】及び図５を参照。）には、発光ダイオード用透光性被覆材の先端部分に集光機構としてレンズ構造を設けることが、それぞれ記載されている。
　また、実願昭６０−１１７３６９号（実開昭６２−２６８０６号）のマイクロフィルム（明細書第１ページ第１〜１９行、第９ページ第９行〜第１１ページ第２行及び第１〜５図を参照。）には、透光性部材からなる本体に小型形状の光源が嵌入される嵌挿凹部と、光源および反射面から到達した光の光路を制御する光学的制御手段として集光用凸レンズ部を設けること及び配光特性図が記載されている。
　すると、引用発明において、これらの周知の技術を参照して、レンズに集光機能、すなわち、光源の光束を収束して出射させるようになすことにより、本願発明の上記相違点３に係る事項とすることは、当業者が容易になし得たものである。
　　　　　
＜相違点４について＞
　本願明細書段落番号【０００７】（平成２１年１１月９日付け手続補正書を参照。）には、「バルク型」について、
　「【０００７】【課題を解決するための手段】・・・（中略）・・・「バルク型」とは、砲弾型、卵型、繭型、蒲鉾型等、ある程度の厚み又は膨らみを有する固形体を意味する。光軸方向に垂直な断面の形状は、真円、楕円、三角形、四角形、多角形等が可能である。バルク型のレンズ本体の外周部は、円柱、角柱の円周部のような光軸に平行な面でも良く、光軸に対してテーパを有していてもかまわない。また、天井部及び頂部のレンズ面は、凸面、凹面、平面、フレネルレンズ面のいずれかを適宜選択できる。」
と記載されている。
　引用発明において、上記＜相違点３について＞で述べたごとくレンズに光束を収束させるようにした場合には、レンズは凸面を有したものとなり、レンズ（レンズカバー）の形状は本願発明でいうところの「バルク型」となる。
　したがって、上記相違点４に係る事項は、引用発明において上記＜相違点３について＞で述べたごとく、レンズに光束を収束させるようにした場合に、おのずと備える事項である。
　　　　　
　そして、上記相違点１〜４を併せ備える本願発明の作用・効果について検討してみても、引用発明及び上記の周知の技術に記載された事項から当業者が予測し得る範囲のものであって、格別顕著なものとはいえない。
　したがって、本願発明は、引用発明及び周知の技術に記載された事項に基づいて当業者が容易に発明をすることができたものである。
　　　　　
５．むすび
　以上のとおり、本願発明は、引用発明及び周知の技術に記載された事項に基づいて当業者が容易に発明をすることができたものであり、特許法第２９条第２項の規定により特許を受けることができないから、他の請求項に係る発明については検討するまでもなく、本願は拒絶されるべきものである。 
　よって、結論のとおり審決する。